(57)【特許請求の範囲】
【請求項１】
金型を用いて成形され、端壁と、当該端壁から立ち上がる複数の周壁と、を含み、上記端壁の上に電子部品が収容される領域および当該領域を外れた外周部が規定された筐体と、
上記外周部に位置するように上記周壁から突出され、上記金型で成形された上記筐体を上記金型から取り出すための上記金型に設けた複数のピンで押される複数のピン受け部と、
を備えた電子機器。
【請求項２】
請求項１に記載の電子機器において、上記ピン受け部は、上記周壁の片側から突出された電子機器。
【請求項３】
請求項２に記載の電子機器において、上記ピン受け部は、上記周壁から上記筐体の内側に突出された電子機器。
【請求項４】
請求項１ないし請求項３のいずれか一項に記載の電子機器において、上記周壁から離れた位置で上記端壁から立ち上がる隔壁をさらに備えており、当該隔壁が上記外周部に位置された電子機器。
【請求項５】
請求項４に記載の電子機器において、上記隔壁が少なくとも一つの上記周壁と平行である電子機器。
【請求項６】
請求項４又は請求項５に記載の電子機器において、上記外周部に位置するように上記隔壁から突出された複数の他のピン受け部をさらに備えた電子機器。
【請求項７】
請求項６に記載の電子機器において、上記他のピン受け部は、上記隔壁の片側から突出された電子機器。
【請求項８】
請求項７に記載の電子機器において、上記他のピン受け部は、上記隔壁から上記筐体の内側に突出された電子機器。
【請求項９】
金型内にマグネシウム合金を充填することで構成され、端壁と、当該端壁から立ち上がる複数の周壁と、を含むとともに、上記端壁の上に電子部品が収容される領域および当該領域を外れた外周部が規定された筐体と、
上記外周部に位置するように上記周壁から突出され、上記筐体を上記金型から取り外す時に、上記金型に設けた複数のピンで押される複数のピン受け部と、
を備えた電子機器。
【請求項１０】
請求項１又は請求項９に記載の電子機器において、上記電子部品がパネルである電子機器。 
【発明の詳細な説明】
【技術分野】
【０００１】
本発明は、ポータブルコンピュータのような電子機器に関する。
【背景技術】
【０００２】
マグネシウム合金によって形成された筐体は、樹脂やアルミニウム合金等で形成された筐体と比べて、軽量化・薄型化が図り易い。そのため、ポータブルコンピュータのような電子機器に用いられる筐体としては、近年、マグネシウム合金によって形成されたものが知られている。
【０００３】
マグネシウム合金からなる筐体は、例えば、金型で筐体を構成する構造体を形成するとともに、この構造体に、化成処理、プライマーの塗布、塗料の塗布、クリアの塗布等を行うことによって形成されている。
【発明の概要】
【発明が解決しようとする課題】
【０００４】
ところで、マグネシウム合金からなる筐体を薄型化させると、筐体を構成する構造体を金型から取り外すときに、構造体に歪みが生じる場合がある。
【０００５】
すなわち、マグネシウム合金は、冷却される際に収縮等によって金型キャビティに引っ付く。このため、金型コアに上下動が可能な突き出しピンをつけておく、いわゆる、突き出しピン方式を用いて、構造体を金型から取り出すのが一般的である。つまり、金型コアに形成しておいた突き出しピンによって構造体を押しながら、金型キャビティから構造体を取り外している。しかしながら、薄肉に形成された構造体は、成型直後においては、剛性がさほど大きくないため、突き出しピンが構造体に押圧を与えることで、構造体に歪みを与えてしまうことがある。
【０００６】
構造体に残された歪み部分は、クリア塗装を施すことで光を乱反射させるようになる。このため、特に、クリア塗装を施すような筐体では、成型時の歪みが目立ち易い。このような事情から、薄型であっても歪みの少ない筐体が求められている。
【０００７】
本発明は、歪みが少なく、外観が良好な筐体を有する電子機器の提供を目的とする。
【課題を解決するための手段】
【０００８】
上記目的を達成するため、本発明の一つの形態に係る電子機器は、金型を用いて成形された筐体を備えている。筐体は、端壁と、当該端壁から立ち上がる複数の周壁と、を含み、上記端壁の上に電子部品が収容される領域および当該領域を外れた外周部が規定されている。上記筐体の上記周壁から複数のピン受け部が突出されている。ピン受け部は、上記金型で成形された上記筐体を上記金型から取り出すための上記金型に設けた複数のピンで押される要素であって、上記外周部に位置されている。
【発明の効果】
【０００９】
本発明によれば、歪みが少なく、外観が良好な筐体を有する電子機器を得ることができる。
【図面の簡単な説明】
【００１０】
【図１】本発明の一実施形態にかかる筐体を有する電子機器としてのポータブルコンピュータを上方から見た斜視図。
【図２】図１のポータブルコンピュータが有する第１の筐体の第１の構造体を内側から見た斜視図。
【図３】図２中の１点鎖線Ａで囲まれた領域を拡大して示す斜視図。
【図４】図２中の１点鎖線Ｂで囲まれた領域を拡大して示す斜視図。
【図５】図２中の１点鎖線Ｃで囲まれた領域を拡大して示す斜視図。
【図６】図２中の１点鎖線Ｄで囲まれた領域を拡大して示す斜視図。
【図７】図２中の１点鎖線Ｅで囲まれた領域を拡大して示す斜視図。
【図８】図２中の１点鎖線Ｆで囲まれた領域を拡大して示す斜視図。
【図９】図２中の１点鎖線Ｇで囲まれた領域を拡大して示す斜視図。
【図１０】図２中の１点鎖線Ｈで囲まれた領域を拡大して示す斜視図。
【図１１】図２中の１点鎖線Ｉで囲まれた領域を拡大して示す斜視図。
【図１２】図２中の１点鎖線Ｊで囲まれた領域を拡大して示す斜視図。
【図１３】図２中の１点鎖線Ｋで囲まれた領域を拡大して示す斜視図。
【図１４】図２中の１点鎖線Ｌで囲まれた領域を拡大して示す斜視図。
【図１５】図２中の１点鎖線Ｍで囲まれた領域を拡大して示す斜視図。
【図１６】図２中の１点鎖線Ｎで囲まれた領域を拡大して示す斜視図。
【図１７】図２中の１点鎖線Ｏで囲まれた領域を拡大して示す斜視図。
【図１８】図１のポータブルコンピュータが有する第２の筐体の第３の構造体を内側から見た正面図。
【図１９】図１のポータブルコンピュータが有する構造体を概略的に示す断面図。
【図２０】図１のポータブルコンピュータが有する構造体の前半の製造工程を説明する図。
【図２１】図１のポータブルコンピュータが有する構造体の後半の製造工程を説明する図。
【図２２】図８に示す第２ピン受け部を後加工によって取り除いた状態を示す斜視図。
【発明を実施するための形態】
【００１１】
以下、図１乃至図２２を参照して、本発明の一実施形態について説明する。本実施形態は、電子機器の筐体、例えばポータブルコンピュータの筐体に適用した一例を示している。
【００１２】
図１は、電子機器としてのポータブルコンピュータ１を示している。ポータブルコンピュータ１は、本体ユニット２と表示ユニット３とを有している。
【００１３】
本体ユニット２は、偏平な箱状に形成された第１の筐体１０を有している。第１の筐体１０は、上端壁１１ａ、底端壁１１ｂ、前後の周壁１１ｃ，１１ｄ、及び左右の周壁１１ｅ，１１ｆを有している。上端壁１１ａの外面は、手元側（前側）に、パームレスト１２を有している。
【００１４】
第１の筐体１０の上端壁１１ａは、パームレスト１２の後方に、キーボード取付け部１３を有している。キーボード取付け部１３には、数字や文字等の入力に利用されるキーボード１４が取付けられている。
【００１５】
第１の筐体１０は、その後端部に、一対の連結凹部１５ａ，１５ｂを有している。連結凹部１５ａ，１５ｂは、第１の筐体１０の前方、下方、後方に向けて開放する窪みにて構成されている。連結凹部１５ａ，１５ｂは、本体ユニット２の幅方向（左右方向）に離間して設けられている。
【００１６】
表示ユニット３は、第２の筐体２０を有している。第２の筐体２０は、後端壁２１ａ、前端壁２１ｂ、上下の周壁２１ｃ，２１ｄ、及び左右の周壁２１ｅ，２１ｆを有している。
【００１７】
第２の筐体２０の内部には、表示パネルとしての液晶表示パネル２２が収容されている。液晶表示パネル２２は、画像を表示する画面２２ａを有している。第２の筐体２０の前端壁２１ｂは、画面２２ａを露出させる開口部２０ａを有している。画面２２ａは、開口部２０ａを通じて第２の筐体２０の外方に露出している。
【００１８】
第２の筐体２０は、その下端部に、一対の連結脚部２３ａ，２３ｂを有している。連結脚部２３ａ，２３ｂは、第２の筐体２０の幅方向に離間して配置されており、夫々、第１の筐体１０の連結凹部１５ａ，１５ｂに導かれている。連結脚部２３ａ，２３ｂは、連結凹部１５ａ，１５ｂに夫々ヒンジ金具（図示せず）を介して回動自在に支持されている。
【００１９】
このため、表示ユニット３は、パームレスト１２、キーボード１４、及び画面２２ａ等を露出させるように本体ユニット２に対して起立する開き位置（図１参照）と、パームレスト１２、及びキーボード１４等を上方から覆うように本体ユニット２の上に横たわる閉じ位置（図示せず）との間で回動可能となっている。
【００２０】
第１の筐体１０は、第１の構造体（カバー）３１と第２の構造体（ケース）３２とを有して構成されている。第１及び第２の構造体３１，３２は、例えば、マグネシウムを主成分とするマグネシウム合金のような金属材料で形成されている。第１の筐体１０の主要部分は、０．８ｍｍ以下となるような薄肉、例えば、０．６ｍｍ厚に形成されている。第１の構造体３１は、第１の筐体１０の上端壁１１ａ、前後の周壁１１ｃ，１１ｄ、及び左右の周壁１１ｅ，１１ｆを構成している。第２の構造体３２は、第１の筐体１０の底端壁１１ｂを構成している。
【００２１】
第２の筐体２０は、第３の構造体３３（背面カバー）と第４の構造体３４（枠材）とを有して構成されている。第３及び第４の構造体３３，３４もまた、例えば、マグネシウムを主成分とするマグネシウム合金のような金属材料で形成されている。第２の筐体２０の主要部分は、０．８ｍｍ以下となるような薄肉、例えば、０．６ｍｍ厚に形成されている。すなわち、第３の構造体３３のうち、少なくとも液晶表示パネル２２が収容される領域と対応する部分は、０．８ｍｍ以下となるような薄肉に形成されている。第３の構造体３３は、第２の筐体２０の後端壁２１ａ、上下の周壁２１ｃ，２１ｄ、及び左右の周壁２１ｅ，２１ｆを構成している。第４の構造体３４は、第２の筐体２０の前端壁２１ｂを構成している。
【００２２】
図２は、上記第１の構造体３１を示している。第１の筐体１０の内部には、図示しないが、ポインティングデバイス、ハードディスクドライブ、及び、プリント配線板といった電子部品等の収容物が収容される。そのため、第１の構造体３１が有する上端壁１１ａには、この上端壁１１ａから立ち上がる（本実施形態では、上端壁１１ａの内面から下方に張り出す）１以上のボス４１ａ〜４１ｈと、この上端壁１１ａから立ち上がる（本実施形態では、上端壁１１ａの内面から下方に張り出す）１以上の隔壁（いわゆるリブ）４２ａ〜４２ｅとが設けられている（図２乃至図１７参照）。
【００２３】
ところで、上述したように、マグネシウム合金からなる筐体を薄型化（例えば、０．８ｍｍ以下となるような薄肉化）させると、筐体を構成する構造体を金型から取り外すときに、これら構造体に歪みが生じる場合がある。構造体に残された歪み部分は、クリア塗装を施すことで光を乱反射させるようになるため、目立ち易い。このような事情から、薄型であっても歪みの少ない筐体が求められている。
【００２４】
そのため、本実施形態の第１の筐体１０は、図１９及び図２０に示すように、上端壁１１ａにボス４１ａ〜４１ｈとなる１以上の第１ピン受け部５１が設けられ、隔壁４２ａ〜４２ｅに１以上の第２ピン受け部５２が設けられ、周壁１１ｄ〜１１ｆに１以上の第３ピン受け部５３が設けられるように、一対の金型のうちの一方の金型（以下、金型キャビティという）６１を形成し、第１乃至第３ピン受け部５１〜５３と夫々対応する位置に複数の突き出しピン５４が設けられるように、一対の金型のうちの他方の金型（以下、金型コアという）６２を形成し、一対の金型６１，６２の間に、溶融させたマグネシウム合金を流し込み、突き出しピン５４によって夫々対応する第１乃至第３ピン受け部５１〜５３を押しながら、第１の構造体３１を金型キャビティ６１から取り外すことで第１の筐体１０の一部が形成されている。
【００２５】
以下、第１の筐体１０の一部となる第１の構造体３１の形成方法について、詳しく説明する。まず、第１の筐体１０を構成するにあたり、ボス４１ａ〜４１ｈの位置及び隔壁４２ａ〜４２ｅの位置を決定する。
【００２６】
歪みの少ない筐体を形成するためには、金型コア６２に設けた突き出しピン５４で第１の構造体３１を支持しながら、該構造体３１を金型キャビティ６１に対して平行に移動させて、該金型キャビティ６１から該構造体３１を取り外すのが好ましい。また、歪みの少ない筐体を形成するためには、第１の構造体３１の薄肉部（例えば、パームレストに対応する部分等）を突き出しピン５４で押し付けないのが好ましい。
【００２７】
そのため、金型キャビティ６１を形成するにあたって、突き出しピン５４に夫々対応するように、以下のようにピン受け部を設けている。
【００２８】
ボス４１ａ〜４１ｈとなる部分に、第１ピン受け部５１を設ける。第１のピン受け部５１は、後加工によってボス４１ａ〜４１ｈとなる。
【００２９】
第１ピン受け部５１だけでは、上述した隔壁４２ａ〜４２ｅが片持ちとなり、第１の構造体３１を金型キャビティ６１に対して平行に移動させて取り外すのが難しい。特に、隔壁４２ａ〜４２ｅ及びその近傍を金型キャビティ６１から取り外すのが難しい。このため、さらに均等にピン受け部を設けられるようにする。
【００３０】
図２、図４乃至図９に示すように、隔壁４２ａ〜４２ｅに、柱状の第２ピン受け部５２を設ける。第２ピン受け部５２は、隔壁４２ａ〜４２ｅに対し偏心するように隔壁４２ａ〜４２ｅの片側から第１の構造体３１の内側に突出されている。第２ピン受け部５２の先端面の大きさは、隔壁４２ａ〜４２ｅの厚さよりも大きく、ボス４１ａ〜４１ｈの先端面（第１ピン受け部５１の先端面）よりも小さくなるように設定するのが好ましい。
【００３１】
なお、第２ピン受け部５２のうち、第１の筐体１０に上記収容物を収容するにあたって邪魔とならない第２ピン受け部５２は、そのまま残しておけばよい。また、第２ピン受け部５２のうち、第１の筐体１０に上記収容物を収容するにあたって邪魔となる第２ピン受け部５２は、図１７に示すように、後加工で隔壁から取り除いてもよい。
【００３２】
また、第１及び第２ピン受け部５１，５２だけでは、第１の構造体３１を金型キャビティ６１から取り外し難い場合には、周壁１１ｄ〜１１ｆに柱状の第３ピン受け部５３を設けてもよい。図２、図３、図１０及び図１１に示すように、第３ピン受け部５３は、周壁１１ｄ〜１１ｆに対し偏心するように、周壁１１ｄ〜１１ｆの片側から第１の構造体３１の内側に突出されている。なお、第３ピン受け部５３は、省略可能である。
【００３３】
第１乃至第３ピン受け部５１〜５３と夫々対応する位置に複数の突き出しピン５４が設けられるように、金型コア６２を形成する。金型キャビティ６１と金型コア６２とを合わせ、これら金型６１，６２の間に、溶融させたマグネシウム合金を、高温・高速で流し込む（注入する）。
【００３４】
溶融させたマグネシウム合金の金型６１，６２への充填が完了したら、数秒の冷却期間をおき、金型６１，６２を開いて第１の構造体３１を取り出す。このとき、マグネシウム合金の冷却による収縮等によって、第１の構造体３１が金型キャビティ６１に引っ付いている。そのため、突き出しピン５４によって夫々対応する第１乃至第３ピン受け部５１〜５３を押しながら、上記第１の筐体１０の一部となる第１の構造体３１を金型キャビティ６１から取り外す。上述のような方法では、第１の構造体３１の薄肉部分を突き出しピン５４で押すことがないため、第１の構造体３１に歪みが生じ難い。
【００３５】
第１の構造体３１を一対の金型６１，６２から取り外した後、第１ピン受け部５１に加工を施してボス４１ａ〜４１ｈとする。また、必要に応じて、第２ピン受け部５２や第３ピン受け部５３を第１の構造体３１から削り取る（図８及び図２２参照）。
【００３６】
錆止め等のために化成処理を行う。その後、プライマーの塗布、塗料の塗布、光沢塗装（高輝度塗装）、例えば、クリアの塗装を行う。光沢塗装は、耐磨耗性を高めたり、外観を良好にするためのものであって、必ずしも透明な塗料を用いなくてもよい。以上により、第１の筐体１０の一部を構成する第１の構造体３１が形成される。
【００３７】
以上説明した筐体の形成方法では、第１の構造体３１の薄肉部分を突き出しピン５４で押すことがないため、出来上がりの第１の構造体３１には歪みが殆どない。そのため、光沢塗装を施しても、外観の良好な第１の筐体１０が得られる。第２の構造体３２も同様にして形成することが可能であるため、その説明は省略する。
【００３８】
以下、第２の筐体２０の一部となる第３の構造体３３の形成方法について、詳しく説明する。第３の構造体３３は、表示ユニット３の平坦な裏面を有するため、外観的に非常に目立つ。そのため、歪みの少ない筐体を形成するためには、以下のようにするとよい。
【００３９】
後端壁２１ａの内面のうちの周壁２１ｃ〜２１ｆに沿う外周部２５のみにピン受け部５６が設けられるように、金型キャビティ６１を形成する。第３の構造体３３が、後端壁２１ａから立ち上がる（本実施形態（図１）では、前方に張り出す）１以上のボス２６ａ〜２６ｄと、後端壁２１ａから立ち上がる（本実施形態（図１）では、前方に張り出す）１以上の隔壁（例えば、表示パネル支持部）２７とを有する場合、図１８に示すように、後端壁２１ａの外周部２５は、ボス２６ａ〜２６ｄとなる部分と、隔壁２７と、周壁２１ｃ〜２１ｆによって規定される領域とするのが好ましい。なお、図１８では、外周部２５が判別し易いようにハッチングを付して示している。柱状のピン受け部５６は、ボス２６ａ〜２６ｄとなる部分と、隔壁２７と、周壁２１ｃ〜２１ｆとにのみ設けられるように、金型キャビティ６１を形成する。図１８に示すように、ピン受け部５６は、隔壁２７および周壁２１ｃ〜２１ｆに対し偏心するように、隔壁２７および周壁２１ｃ〜２１ｆの片側から第３の構造体３３の内側に突出されている。
【００４０】
また、第３の構造体３３が、ボスや隔壁を有していない場合、後端壁２１ａの外周部２５は、液晶表示パネル２２が収容される領域以外の領域とするとよい。すなわち、ピン受け部５６は、液晶表示パネル２２が収容される領域以外の領域のみに設けられるように、金型キャビティ６１を形成するとよい。
【００４１】
後は、上述した構造体３１の形成方法と同様である。すなわち、ピン受け部５６と夫々対応する位置に複数の突き出しピン５４が設けられるように、金型コア６２を形成する。一対の金型６１，６２の間に、溶融させたマグネシウム合金を流し込む。突き出しピン５４によって夫々対応するピン受け部５６を押しながら、第３の構造体３３を金型キャビティ６１から取り外す。この場合も、第３の構造体３３の薄肉部分（表示パネル２１が収容される領域と対応する領域）を突き出しピン５４で押圧することがないため、第３の構造体３３に歪みが生じ難い。
【００４２】
第３の構造体３３を一対の金型６１，６２から取り外した後は、上述した第１の構造体３１の形成方法と同様にすればよい。すなわち、ボス２６ａ〜２６ｄとなるピン受け部５６がある場合には、これを加工して上記ボス２６ａ〜２６ｄとする。また、第２の筐体２０に液晶表示パネル２２を収容する際に邪魔となるようなピン受け部５６がある場合には、このピン受け部５６を第３の構造体３３から削り取る。錆止め等のために化成処理を行う。その後、プライマーの塗布、塗料の塗布、光沢塗装（高輝度塗装）、例えば、クリアの塗装を行う。以上により、第２の筐体２０の一部を構成する第３の構造体３３が形成される。
【００４３】
以上説明した筐体の形成方法では、第３の構造体３３の薄肉部分（表示パネル２３が収容される領域と対応する領域）を突き出しピン５４で押すことがないため、第３の構造体３３には歪みが殆どない。そのため、光沢塗装を施しても、外観の良好な第２の筐体２０が得られる。第４の構造体３４も同様にして形成することが可能であるため、その説明は省略する。
【００４４】
以上のように、本実施形態によれば、歪みの少ない筐体１０，２０を有するポータブルコンピュータ１を得ることができる。
【００４５】
なお、本発明は、上述した実施形態に限定されるものではない。本発明は、ポータブルコンピュータ以外の筐体にも広く適用することができる。
【００４６】
以下に、本願出願の最も基礎となる原出願（特願２００５−１１８６４０）の当初の特許請求の範囲に記載された発明を付記する。
【００４７】
［１］端壁と、上記端壁から立ち上がる１以上のボスと、上記端壁から立ち上がる１以上の隔壁とを有する筐体を、一対の金型を用いて形成する筐体の形成方法であって、
上記端壁に上記ボスとなる１以上の第１ピン受け部が設けられるとともに、上記隔壁に１以上の第２ピン受け部が設けられるように、上記一対の金型のうちの一方の金型を形成し、
上記第１及び第２ピン受け部と夫々対応する位置に複数の突き出しピンが設けられるように、上記一対の金型のうちの他方の金型を形成し、
上記一対の金型の間に、溶融させたマグネシウム合金を流し込み、
上記突き出しピンによって夫々対応する上記第１及び第２ピン受け部を押しながら、上記筐体となる構造体を上記一方の金型から取り出すことを特徴とする筐体の形成方法。
【００４８】
［２］上記構造体を上記一対の金型から取り外した後、上記第１ピン受け部を加工して上記ボスとすることを特徴とする［１］に記載の筐体の形成方法。
【００４９】
［３］上記構造体を上記一対の金型から取り外した後、少なくとも１つの第２ピン受け部を上記構造体から取り除くことを特徴とする［１］に記載の筐体の形成方法。
【００５０】
［４］上記第２ピン受け部の先端面の大きさは、上記隔壁の厚さよりも大きく、上記ボスの先端面よりも小さいことを特徴とする［１］に記載の筐体の形成方法。
【００５１】
［５］上記筐体は、上記端壁の周囲から立ち上がる周壁を有しており、
上記端壁に上記ボスとなる１以上の第１ピン受け部が設けられ、上記隔壁に１以上の第２ピン受け部が設けられ、上記周壁に１以上の第３ピン受け部が設けられるように上記一対の金型のうちの一方の金型を形成し、
上記第１乃至第３ピン受け部と夫々対応する位置に複数の突き出しピンが設けられるように、上記一対の金型のうちの他方の金型を形成することを特徴とする［１］に記載の筐体の形成方法。
【００５２】
［６］端壁と、上記端壁の周囲から立ち上がる周壁とを有し、内部に表示パネルを収容する筐体を、一対の金型を用いて形成する筐体の形成方法であって、
上記端壁のうちの上記周壁に沿う外周部のみに１以上のピン受け部が設けられるように、上記一対の金型のうちの一方の金型を形成し、
上記ピン受け部と夫々対応する位置に複数の突き出しピンが設けられるように、上記一対の金型のうちの他方の金型を形成し、
上記一対の金型の間に、溶融させたマグネシウム合金を流し込み、
上記突き出しピンによって夫々対応する上記ピン受け部を押しながら、上記筐体となる構造体を上記一方の金型から取り外すことを特徴とする筐体の形成方法。
【００５３】
［７］上記筐体は、上記端壁から立ち上がる１以上のボスと、上記端壁から立ち上がる１以上の隔壁とを有しており、
上記端壁の外周部は、ボスとなる部分と、上記隔壁と、上記周壁によって規定されており、
上記ピン受け部は、上記ボスとなる部分と、上記隔壁と、上記周壁とにのみ設けられていることを特徴とする［６］に記載の筐体の形成方法。
【００５４】
［８］上記端壁の外周部は、上記表示パネルが収容される領域と対応する領域以外の領域であることを特徴とする［６］に記載の筐体の成形方法。
【００５５】
［９］端壁と、上記端壁から立ち上がる１以上のボスと、上記端壁から立ち上がる１以上の隔壁とを有する筐体であって、
少なくとも一部が、
上記端壁に上記ボスとなる１以上の第１ピン受け部が設けられるとともに、上記隔壁に１以上の第２ピン受け部が設けられるように、上記一対の金型のうちの一方の金型を形成し、
上記第１及び第２ピン受け部と夫々対応する位置に複数の突き出しピンが設けられるように、上記一対の金型のうちの他方の金型を形成し、
上記一対の金型の間に、上記筐体を形成する材料を溶融させて流し込み、
上記突き出しピンによって夫々対応する上記第１及び第２ピン受け部を押しながら、上記一方の金型を取り除くことで形成されていることを特徴とする筐体。
【００５６】
［１０］電子部品を収容することを特徴とする［９］に記載の筐体。
【００５７】
［１１］マグネシウム合金によって形成されていることを特徴とする［９］に記載の筐体。
【符号の説明】
【００５８】
２０…筐体（第２の筐体）、２１ａ…端壁（後端壁）、２１ｃ，２１ｄ，２１ｅ，２１ｆ，…周壁、２２…電子部品（液晶表示パネル）、２５…外周部、５４…ピン（突き出しピン）、５６…ピン受け部、６１，６２…金型。
【図１】
0005726826.tif 000002
【図２】
0005726826.tif 000003
【図３】
0005726826.tif 000004
【図４】
0005726826.tif 000005
【図５】
0005726826.tif 000006
【図６】
0005726826.tif 000007
【図７】
0005726826.tif 000008
【図８】
0005726826.tif 000009
【図９】
0005726826.tif 000010
【図１０】
0005726826.tif 000011
【図１１】
0005726826.tif 000012
【図１２】
0005726826.tif 000013
【図１３】
0005726826.tif 000014
【図１４】
0005726826.tif 000015
【図１５】
0005726826.tif 000016
【図１６】
0005726826.tif 000017
【図１７】
0005726826.tif 000018
【図１８】
0005726826.tif 000019
【図１９】
0005726826.tif 000020
【図２０】
0005726826.tif 000021
【図２１】
0005726826.tif 000022
【図２２】
0005726826.tif 000023